(57)【要約】【課題】複雑な音声認識回路等を備えることなく、電話回線を介して得られる正確な時報を電話機に記憶させることが可能な電話装置を提供する。【解決手段】電話回線４０に接続された親子電話システムＳにおいて現在時刻を新たに登録するとき、時報サービスに電話回線４０を介して呼を発信し、発信された呼に対応して電話回線４０を介して音声として送信されて来る現在時刻を取得し、取得した現在時刻をスピーカ２５又は６から自動的に放音させる。放音された現在時刻に対応する時刻が操作部２２又は３から入力されると、その入力された時刻を現在時刻としてメモリ２９又は１０に記憶させて登録する。【選択図】図１
2011097184.tif 000002
【特許請求の範囲】
【請求項１】
電話回線に接続された電話装置において、
前記電話装置に記憶させるべき記憶情報を当該電話装置に記憶させるとき、当該記憶情報の送信元に前記電話回線を介して呼を発信する発呼手段と、
前記発信された呼に対応して前記電話回線を介して音情報として送信されて来る前記記憶情報を取得する取得手段と、
前記取得した音情報を放音させる放音手段と、
前記放音された音情報に対応する入力情報を入力するために用いられる入力手段と、
前記入力情報が入力されたとき、当該入力された入力情報を前記記憶情報として記憶する記憶手段と、
を備えることを特徴とする電話装置。
【請求項２】
請求項１に記載の電話装置において、
前記記憶情報を記憶可能な状態に前記電話装置を移行させる移行手段を更に備え、
前記記憶手段は、前記記憶可能な状態に移行後において前記入力情報が入力されたとき、当該入力された入力情報を前記記憶情報として記憶することを特徴とする電話装置。
【請求項３】
請求項２に記載の電話装置において、
前記記憶情報を記憶可能な状態において表示すべき情報を表示する表示手段を更に備え、
前記入力手段は、前記記憶可能な状態に移行後において、前記表示手段に表示されている情報に基づいて前記入力情報を入力するために用いられることを特徴とする電話装置。
【請求項４】
請求項１から３のいずれか一項に記載の電話装置において、
前記電話装置は、前記電話回線に接続された親機と、当該親機を介して前記電話回線に接続される子機と、を備える電話装置であり、
少なくとも前記発呼手段、前記取得手段、前記放音手段、前記入力手段及び前記記憶手段が前記親機に備えられていることを特徴とする電話装置。
【請求項５】
請求項１から３のいずれか一項に記載の電話装置において、
前記電話装置は、前記電話回線に接続された親機と、当該親機を介して前記電話回線に接続される子機と、を備える電話装置であり、
少なくとも前記発呼手段、前記取得手段、前記放音手段、前記入力手段及び前記記憶手段が前記子機に備えられていることを特徴とする電話装置。
【請求項６】
電話回線に接続された電話装置に含まれるコンピュータを、
前記電話装置に記憶させるべき記憶情報を当該電話装置に記憶させるとき、当該記憶情報の送信元に前記電話回線を介して呼を発信する発呼手段、
前記発信された呼に対応して前記電話回線を介して音情報として送信されて来る前記記憶情報を取得する取得手段、
前記取得した音情報を放音する放音手段を制御する放音制御手段、
前記放音された音情報に対応する入力情報を入力するために用いられる入力手段を制御する入力制御手段、及び、
前記入力情報が入力されたとき、当該入力された入力情報を前記記憶情報として記憶する記憶手段、
として機能させることを特徴とする電話装置用プログラム。
【発明の詳細な説明】
【技術分野】
【０００１】
本願は、電話装置及び電話装置用プログラムの技術分野に属する。より詳細には、外部から取得した現在時刻情報等の情報を記憶する電話装置及び当該電話装置用のプログラムの技術分野に属する。
【背景技術】
【０００２】
一般に、電話機において正確な現在時刻を知るためには、電話回線を介したいわゆる時報サービスが用いられる。この時報サービスを利用する場合にかけるべき電話番号は、現在では「１１７」である。
【０００３】
一方、電話機においては一般に、例えばいわゆる留守番電話機能等の発揮のためには、なるべく正確な現在時刻をその電話機に登録しておくのが望ましい。このための技術として従来は、例えば下記特許文献１に記載されているものがある。この特許文献１に記載されている技術では、親機と子機とからなる電話装置において、親機において時報サービスを受話すると共にその内容の音声解析及び音声認識を自動的に行い、その結果を現在時刻として親機内に自動登録する構成とされている。
【先行技術文献】
【特許文献】
【０００４】
【特許文献１】特開平８−１８１７９７号公報
【発明の概要】
【発明が解決しようとする課題】
【０００５】
しかしながら、上記特許文献１記載の構成によると、時報サービスの受話内容を音声解析及び音声認識するために複雑な音声認識回路等が必要となり、電話機全体の構成の複雑化及び高価格化を招くという問題点があった。また、受話音声の誤認識が生じた場合、正確な現在時刻が登録できないという問題点もあった。
【０００６】
そこで、本願は上記の各問題点に鑑みて為されたもので、その課題の一例は、複雑な音声認識回路等を備えることなく、電話回線を介して得られる正確な時報を電話機に記憶させることが可能な電話装置及び当該電話装置用のプログラムを提供することにある。
【課題を解決するための手段】
【０００７】
上記の課題を解決するために、請求項１に記載の発明は、電話回線に接続された電話装置において、前記電話装置に記憶させるべき記憶情報を当該電話装置に記憶させるとき、当該記憶情報の送信元に前記電話回線を介して呼を発信する主制御部等の発呼手段と、前記発信された呼に対応して前記電話回線を介して音情報として送信されて来る前記記憶情報を取得する主制御部等の取得手段と、前記取得した音情報を放音させるスピーカ等の放音手段と、前記放音された音情報に対応する入力情報を入力するために用いられる操作部等の入力手段と、前記入力情報が入力されたとき、当該入力された入力情報を前記記憶情報として記憶するメモリ等の記憶手段と、を備える。
【０００８】
上記の課題を解決するために、請求項６に記載の発明は、電話回線に接続された電話装置に含まれるコンピュータを、前記電話装置に記憶させるべき記憶情報を当該電話装置に記憶させるとき、当該記憶情報の送信元に前記電話回線を介して呼を発信する発呼手段、前記発信された呼に対応して前記電話回線を介して音情報として送信されて来る前記記憶情報を取得する取得手段、前記取得した音情報を放音させる放音手段を制御する放音制御手段、前記放音された音情報に対応する入力情報を入力するために用いられる入力手段を制御する入力制御手段、及び、前記入力情報が入力されたとき、当該入力された入力情報を前記記憶情報として記憶する記憶手段、として機能させる。
【図面の簡単な説明】
【０００９】
【図１】第１実施形態に係る親子電話システムの概要構成を示すブロック図である。
【図２】第１実施形態に係る時刻登録動作を示すフローチャートである。
【図３】第１実施形態に係る時刻登録動作に用いられる時刻登録画面等を例示する図であり、（ａ）は当該時刻登録画面を例示する図であり、（ｂ）は第１実施形態に係る発呼操作画面を例示する図である。
【図４】第２実施形態に係る時刻登録動作を示すフローチャートである。
【図５】第２実施形態に係る時刻登録動作に用いられる時刻登録画面を例示する図である。
【発明を実施するための形態】
【００１０】
次に、本願を実施するための形態について、図面に基づいて説明する。なお、以下に説明する各実施形態は、外部の電話回線に接続された親機と、当該親機と無線により接続さえた子機と、を含む、いわゆる親子電話システムに対して本願を適用した場合の実施の形態である。
【００１１】
（Ｉ）第１実施形態
始めに、本願に係る第１実施形態について、図１乃至図３を用いて説明する。なお、図１は第１実施形態に係る親子電話システムの概要構成を示すブロック図であり、図２は第１実施形態に係る時刻登録動作を示すフローチャートであり、図３は当該時刻登録動作に用いられる時刻登録画面を例示する図である。
【００１２】
図１に示すように、第１実施形態に係る親子電話システムＳは、外部からの電話回線４０に接続された例えば据え置き型の親機Ｍと、当該親機Ｍと無線により接続された例えば携帯型の子機Ｃと、により構成されている。
【００１３】
また親機Ｍは、アンテナ２０に接続された無線部２１と、操作ボタン又はカーソル操作部等からなる入力手段の一例としての操作部２２と、時計部２３と、揮発性領域及び不揮発性領域を含む記憶手段の一例としてのメモリ２９を備える発呼手段の一例、取得手段の一例及び移行手段の一例としての主制御部２４と、放音手段の一例としてのスピーカ２５と、レシーバ２６と、マイク２７と、例えば液晶ディスプレイ等からなる表示手段の一例としての表示部２８と、電話回線４０に接続された有線部３０と、により構成されている。また操作部２２には、表示部２８の表面に備えられた図示しないタッチパネルも含まれる。
【００１４】
この構成において有線部３０は、主制御部２４の制御の下、電話回線４０を介した外部とのデータ信号や音声信号の授受を制御する。
【００１５】
無線部２１は、主制御部２４の制御の下、アンテナ２０を介して子機Ｃと接続され、当該子機Ｃと親機Ｍとの間のデータ信号や音声信号の授受を制御する。
【００１６】
時計部２３は、主制御部２４の制御の下、後述する第１実施形態に係る時刻登録動作により現在時刻が登録されたタイミング以降、当該登録された現在時刻に基づき、親機Ｍとしての動作に用いられる現在時刻を計時する。
【００１７】
スピーカ２５は、親機Ｍの本体に設けられているものであり、主制御部２４の制御の下、受話音声や着信音等を放音する。これに対してレシーバ２６は、親機Ｍ本体と例えば有線により接続された図示しない受話器に備えられており、主制御部２４の制御の下、使用者の耳に当てられた当該受話器からの放音に用いられる。この場合、スピーカ２５は、例えば親機Ｍを用いたいわゆるハンズフリー通話に用いられるものであり、レシーバ７よりも音量が大きい音を放音する。
【００１８】
マイク２７は、上記レシーバ２６と共に上記図示しない受話器に備えられており、主制御部２４の制御の下、使用者の声の集音及びその音声信号化に用いられる。なお、上記受話器以外の親機Ｍの本体に集音用（例えば上記ハンズフリー通話用）のマイクが備えられていても良い。
【００１９】
表示部２８は、主制御部２４の制御の下、親機Ｍとしての動作に必要な情報と共に、後述する時刻登録画面等を使用者に視認可能に表示する。
【００２０】
主制御部２４は、必要なデータ等をメモリ２９に記憶させつつ、操作部２２における操作に対応する通話動作等が実現されるように、親機Ｍ全体を統括制御する。これに加えて主制御部２４は、後述する第１実施形態に係る時刻登録動作を、親機Ｍとして実行する。
【００２１】
一方、子機Ｃは、アンテナ１に接続された無線部２と、操作ボタン又はカーソル操作部等からなる操作部３と、時計部４と、揮発性領域及び不揮発性領域を含むメモリ１０を備える主制御部５と、スピーカ６と、レシーバ７と、マイク８と、例えば液晶ディスプレイ等からなる表示部９と、により構成されている。また操作部３には、表示部９の表面に備えられた図示しないタッチパネルも含まれる。
【００２２】
この構成において無線部２は、主制御部５の制御の下、アンテナ１を介して親機Ｍと接続され、当該親機Ｍと子機Ｃとの間のデータ信号や音声信号の授受を制御する。
【００２３】
時計部４は、親機の時計部２３と同様に、主制御部５の制御の下、後述する第１実施形態に係る時刻登録動作により現在時刻が登録されたタイミング以降、当該登録された現在時刻に基づき、子機Ｃとしての動作に用いられる現在時刻を計時する。
【００２４】
スピーカ６は、主制御部５の制御の下、受話音声や着信音等を放音する。これに対してレシーバ７は、子機Ｃにおける使用者が耳に当てる部分に備えられており、主制御部５の制御の下、当該使用者への放音に用いられる。この場合、スピーカ６は、子機Ｃを用いた上記ハンズフリー通話に用いられるものであり、レシーバ７よりも音量が大きい音を放音する。
【００２５】
マイク８は、主制御部５の制御の下、使用者の声の集音及びその音声信号化に用いられる。なお、マイク８を上記ハンズフリー通話用として活用しても良い。
【００２６】
表示部９は、主制御部５の制御の下、子機Ｃとしての動作に必要な情報と共に、後述する時刻登録画面等を使用者に視認可能に表示する。
【００２７】
主制御部５は、必要なデータ等をメモリ１０に記憶させつつ、操作部３における操作に対応する通話動作等が実現されるように、子機Ｃ全体を統括制御する。なおこの通話動作等は、無線で接続された親機Ｍに接続されている電話回線４０を介して、外部の通話先との間で実行される。これに加えて主制御部５は、後述する第１実施形態に係る時刻登録動作を、子機Ｃとして実行する。
【００２８】
次に、第１実施形態に係る時刻登録動作を、図２及び図３を主として用いて説明する。なお、以下に説明する時刻登録動作は、親機Ｍ及び子機Ｃで同様に且つ別個独立に実行される。よって以下の説明では、親機Ｍにおいて当該時刻登録動作を実行する場合について説明する。また当該時刻登録に用いられる操作画面は、例えば、表示部２８（９）に表示される階層式のメニュー画面を用いて実行されるものとする。
【００２９】
図２に示すように、第１実施形態に係る時刻登録動作において待ち受け状態となっている主制御部２４は、時刻登録を新たに行う旨の操作が操作部２２において実行されたか否かを監視する（ステップＳ１）。この監視中において当該操作が実行されない場合（ステップＳ１；ＮＯ）、主制御部２４は第１実施形態に係る時刻登録動作を終了して通常の動作に移行する。一方ステップＳ１の監視中において時刻登録を新たに行う旨の操作が実行された場合（ステップＳ１；ＹＥＳ）、主制御部２４は、図示しない時刻登録メニューを表示部２８に表示していわゆる時刻登録モードに親機Ｍを移行させ（ステップＳ２）、更に操作部２２における操作に基づいて後述の時刻登録画面を表示部２８に表示する（ステップＳ３）。
【００３０】
ここで、ステップＳ３において表示部２８に表示される時刻登録画面について、図３（ａ）に例示しつつ説明する。
【００３１】
当該時刻登録画面５０は、例えば図３（ａ）に示すように、実際の時刻登録時において操作部２２内の図示しないテンキー等を用いて入力された時刻（日付を含む）を表示する時刻表示欄５１と、入力された時刻を登録してそのタイミングからの現在時刻の計時を開始する際に操作（押下）される登録ボタン５２と、時報サービス（電話番号１１７）に発呼するための後述する発呼操作画面に移行する際に操作（押下）されるサブメニューボタン５３と、が少なくとも含まれている。
【００３２】
図３（ａ）に例示する時刻登録画面５０が表示されると（ステップＳ３）、次に主制御部２４は、時刻登録を終了する（キャンセルする）旨の操作が操作部２２において実行されたか否かを確認する（ステップＳ４）。ステップＳ４の確認において当該終了する旨の操作が実行された場合（ステップＳ４；ＹＥＳ）、主制御部２４は第１実施形態に係る時刻登録動作を終了して通常の動作に移行する。一方ステップＳ４の確認において、時刻登録を終了する旨の操作が実行されないとき（ステップＳ４；ＮＯ）、主制御部２４は次に、図３（ａ）に例示するサブメニューボタン５３が表示部２８上のタッチパネル等を用いて操作（押下）されたか否かを確認する（ステップＳ５）。
【００３３】
ステップＳ５の確認において、当該サブメニューボタン５３が操作（押下）されない場合（ステップＳ５；ＮＯ）、主制御部２４は上記ステップＳ４の確認に戻る。一方ステップＳ５の確認においてサブメニューボタン５３が操作（押下）された場合（ステップＳ５；ＹＥＳ）、主制御部２４は次に、図３（ｂ）に例示する発呼操作画面５５を表示部２８に表示し、その中の発呼ボタン５６が表示部２８上のタッチパネル等を用いて操作（押下）されたか否かを確認する（ステップＳ６）。
【００３４】
ステップＳ６の確認において、当該発呼ボタン５６が操作（押下）されない場合（ステップＳ６；ＮＯ）、主制御部２４は上記ステップＳ４の確認に戻る。一方ステップＳ６の確認において発呼ボタン５６が操作（押下）された場合（ステップＳ６；ＹＥＳ）、主制御部２４は次に、親機Ｍをスピーカモードに移行させると共に、電話回線４０を介して時報サービスへ発呼する（ステップＳ７）。このスピーカモードは、親機Ｍのスピーカ２５から受話音声を放音させるモードであり、第１実施形態に係る時刻登録動作としては、発呼した時報サービスから受話する時報の音声を放音させるモードである。ステップＳ７において時報サービスに発呼した後、主制御部２４は図３（ａ）に例示する時刻登録画面５０を表示部２８に再度表示させる。
【００３５】
次に主制御部２４は、発呼した時報サービスからの受話内容（即ち時報）をスピーカ２５から放音させつつ、その時報を聴いた使用者による、時刻登録画面５０を用いた現在時刻の登録操作を受け付ける（ステップＳ８）。この時の時刻登録画面５０は、上記ステップＳ７の動作の一環として表示部２８に表示している時刻登録画面５０である。その後主制御部２４は、時刻登録画面５０内の登録ボタン５２が表示部２８上のタッチパネル等を用いて操作（押下）されたタイミングで時刻表示欄５１に入力されている時刻を現在時刻としてメモリ２９の不揮発性領域に記憶させ、第１実施形態としての時刻登録動作を行う（ステップＳ９）。この後は、時計部２３により、登録された現在時刻以降の時刻の計時が開始される。
【００３６】
次に主制御部２４は、第１実施形態に係る時刻登録動作を終了する旨の操作が操作部２２において実行されたか否かを確認する（ステップＳ１０）。当該操作が実行されない場合（ステップＳ１０；ＮＯ）、主制御部２４は上記ステップＳ８の動作に戻って時刻登録動作を継続する。一方ステップＳ１０の確認において当該時刻登録動作を終了する旨の操作が実行された場合（ステップＳ１０；ＹＥＳ）、主制御部２４は、時報サービスと接続されている電話回線４０を切断し（ステップＳ１１）、その後主制御部２４は第１実施形態に係る時刻登録動作を終了して通常の動作に移行する。
【００３７】
なお、上述した第１実施形態に係る時刻登録動作を子機Ｃにおいて実行する場合、時報サービスへの発呼（ステップＳ７参照）を親機Ｍ及び電話回線４０を介して実行する点以外は、図２に示す動作と同様の動作が子機Ｃの主制御部５、スピーカ６及び表示部９等を中心として実行される。
【００３８】
以上説明したように、第１実施形態に係る親子電話システムＳにおける時刻登録動作によれば、電話回線４０を介して音声として現在時刻を取得してスピーカ２５（又はスピーカ６）から放音させると共に、放音された音声に対応する時刻の入力が操作部２２（又は操作部３）を用いて入力されたとき、当該入力された時刻を現在時刻としてメモリ２９（又はメモリ１０）に記憶させて時刻の計時を開始するので、例えば複雑な音声認識回路等を備えることなく、電話回線４０を介して得られる正確な時刻に対応する現在時刻を親機Ｍ（又は子機Ｃ）に登録することができる。
【００３９】
また、時刻登録モードに親機Ｍ（又は子機Ｃ）を移行させた後に現在時刻を登録するので、確実に現在時刻を登録することができる。
【００４０】
更に、表示部２８（又は表示部９）に表示されている時刻登録画面５０等を視認しつつ、放音されている時報に対応する時刻を入力することができるので、正確且つ確実に現在時刻を登録することができる。
【００４１】
更にまた、親機Ｍでも子機Ｃでも同様の時刻登録動作が可能であるので、親機Ｍ又は子機Ｃ夫々において単独で且つ独立して、正確な現在時刻を登録することができる。
【００４２】
（II）第２実施形態
次に、本願に係る他の実施形態である第２実施形態について、図４及び図５を用いて説明する。なお、図４は第２実施形態に係る時刻登録動作を示すフローチャートであり、図５は当該時刻登録動作に用いられる時刻登録画面を例示する図である。
【００４３】
上述した第１実施形態においては、最初に時刻登録モードに移行した（図２ステップＳ２参照）後に時報サービスへの発呼（図２ステップＳ６、Ｓ７参照）等を行う場合について説明したが、以下に説明する第２実施形態は、先ず時報サービスへ発呼した後に、時刻登録動作を開始する。
【００４４】
更に、第２実施形態に係る時刻登録動作に供される親子電話システムの親機及び子機の構成は、基本的には第１実施形態に係る親機Ｍ及び子機Ｃと同様であるので、以下の説明では、第１実施形態に係る親機Ｍ及び子機Ｃと同様の部材番号を引用して説明する。また、図４に示すフローチャートにおいて図２に示すフローチャートと同様の処理については、同様のステップ番号を引用して細部の説明は省略する。
【００４５】
更にまた、第２実施形態に係る時刻登録動作も、親機Ｍ及び子機Ｃで同様に且つ別個独立に実行される。よって以下の説明では、親機Ｍにおいて当該時刻登録動作を実行する場合について説明する。また当該時刻登録に用いられる操作画面は、例えば、表示部２８（９）に表示される階層式のメニュー画面を用いて実行されるものとする。
【００４６】
第２実施形態に係る時刻登録動作においては、図４に示すように、始めに第１実施形態に係るステップＳ１と同様の確認が主制御部２４により実行される。そしてステップＳ１の監視中において時刻登録を新たに行う旨の操作が実行された場合（ステップＳ１；ＹＥＳ）、主制御部２４は、電話回線４０を介して時報サービスへ発呼する（ステップＳ２０）。
【００４７】
次に主制御部２４は、当該時報サービスとの間で話中であるか否か、即ち、時報サービスから現在時刻を示す音声信号を受話している状態であるか否かを確認する（ステップＳ２１）。このステップＳ２１の動作において話中でない場合（ステップＳ２１；ＮＯ）、主制御部２４は第１実施形態に係るステップＳ１１と同様の回線切断動作を実行し、その後第２実施形態に係る時刻登録動作を終了して通常の動作に移行する。
【００４８】
一方ステップＳ２１の確認において時報サービスとの間で話中であった場合（ステップＳ２１；ＹＥＳ）、主制御部２４は次に、第２実施形態に係る時刻登録画面を表示するために表示部２８に表示されている図示しないサブメニューボタンが表示部２８上のタッチパネル等を用いて操作（押下）されたか否かを確認する（ステップＳ２２）。
【００４９】
ステップＳ２２の確認において、当該サブメニューボタンが操作（押下）されない場合（ステップＳ２２；ＮＯ）、主制御部２４は上記ステップＳ２１の確認に戻る。一方ステップＳ２２の確認においてサブメニューボタンが操作（押下）された場合（ステップＳ２２；ＹＥＳ）、主制御部２４は次に、図５に例示する時刻登録画面５７を表示部２８に表示する旨の操作が操作部２２において実行されたか否かを更に確認する（ステップＳ２３）。ステップＳ２３の確認において、当該操作が実行されない場合（ステップＳ２３；ＮＯ）、主制御部２４は上記ステップＳ２１の確認に戻る。一方ステップＳ２３の確認において当該操作が実行された場合（ステップＳ２３；ＹＥＳ）、主制御部２４は次に、親機Ｍをスピーカモードに移行させる（ステップＳ２４）。このスピーカモードは、第１実施形態の場合と同様に、親機Ｍのスピーカ２５から受話音声を放音させるモードであり、発呼した（ステップＳ２０参照）時報サービスから受話する時報の音声を放音させるモードである。
【００５０】
ステップＳ２４においてスピーカモードに以降した後、主制御部２４は図５に例示する時刻登録画面５７を表示部２８に表示させる。この時刻登録画面５７には、図５に例示するように、第１実施形態に係る時刻登録画面５０と同様の時刻表示欄５１及び登録ボタン５２が少なくとも含まれているが、第１実施形態に係るサブメニューボタン５３は含まれていない。
【００５１】
次に主制御部２４は、発呼した（ステップＳ２０参照）時報サービスからの受話内容をスピーカ２５から放音させつつ、その時報を聴いた使用者による、時刻登録画面５７を用いた現在時刻の登録操作を受け付ける（ステップＳ２５）。その後主制御部２４は、時刻登録画面５７内の登録ボタン５２が表示部２８上のタッチパネル等を用いて操作（押下）されたタイミングで時刻表示欄５１に入力されている時刻を現在時刻としてメモリ２９の不揮発性領域に記憶させ、第２実施形態としての時刻登録動作を行う（ステップＳ２６）。この後は、時計部２３により、登録された現在時刻以降の時刻の計時が開始される。
【００５２】
その後主制御部２４は、第１実施形態に係るステップＳ１０と同様の終了確認動作を実行する。そして主制御部２４は、当該終了操作が実行されない場合（ステップＳ１０；ＮＯ）、上記ステップＳ２４の動作に戻り、一方当該終了操作が実行された場合（ステップＳ１０；ＹＥＳ）、主制御部２４は上記ステップＳ２１の動作に戻る。
【００５３】
なお、上述した第２実施形態に係る時刻登録動作を子機Ｃにおいて実行する場合、時報サービスへの発呼（ステップＳ２０参照）を親機Ｍ及び電話回線４０を介して実行する点以外は、図４に示す動作と同様の動作が子機Ｃの主制御部５、スピーカ６及び表示部９等を中心として実行される。
【００５４】
以上説明した第２実施形態に係る時刻登録動作によっても、第１実施形態に係る時刻登録動作と同様の効果を奏し得る。
【００５５】
なお、上述した各実施形態においては、スピーカ２５又は６を用いて時報サービスからの音声を自動的に放音する構成としたが、これに代えて、レシーバ２６又は７から放音させる、いわゆるレシーバモードに自動的に移行させるように構成してもよい。この場合、子機Ｃについては、レシーバ７からの音声を聴きながら操作部３を操作することができる構造又はレシーバ７の音量とすることが必要となる。
【００５６】
また、上述した各実施形態においては、時報サービスから取得した現在時刻を親機Ｍ等に登録する場合について本願を適用したが、これ以外に、例えば電話番号案内サービスに発呼して取得した電話番号を親機Ｍ又は子機Ｃ内に登録（記憶）させる場合に本願を適用することも可能である。この場合には、電話番号案内サービスから送信されて来る電話番号案内を聴きながら、登録画面を用いて必要な電話番号を使用者が登録することになる。
【００５７】
更に、図２又は図４を用いて説明した動作に対応するプログラムをフレキシブルディスク又はハードディスク等に記憶させておき、又はインターネット等のネットワークを介して取得して記憶しておき、これらを汎用の例えばマイクロコンピュータにより読み出して実行させることにより、当該マイクロコンピュータを各実施形態に係る主制御部２４又は５として機能させることも可能である。
【符号の説明】
【００５８】
３、２２    操作部
４、２３    時計部
５、２４    主制御部
６、２５    スピーカ
７、２６    レシーバ
９、２８    表示部
１０、２９    メモリ
３０    有線部
４０    電話回線
５０、５７    時刻登録画面
５１    時刻表示欄
５２    登録ボタン
５３    サブメニューボタン
５５    発呼操作画面
Ｓ    親子電話システム
Ｍ    親機
Ｃ    子機
【図１】
2011097184.tif 000003
【図２】
2011097184.tif 000004
【図３】
2011097184.tif 000005
【図４】
2011097184.tif 000006
【図５】
2011097184.tif 000007